(57)【要約】【課題】食物からは摂取しにくい人体必須微量元素を、着用者が身につけることによって体内に吸収し、健康の維持や増進を図る。【解決手段】基材２の表面に、複数種類の人体必須微量元素を溶射してコーティング層３を形成する。コーティング層３を、第１層３ａ〜第５層３ｅまでの５層構造とする。基材２とコーティング層３の外側全体を被覆層４で覆って、健康維持カード１とする。第１層３ａ〜第５層３ｅに用いる人体必須微量元素を、Ｆｅ（鉄），Ｚｎ（亜鉛），Ｃｕ（銅），Ｍｎ（マンガン），Ｎｉ（ニッケル），Ｃｏ（コバルト），Ｍｏ（モリブデン），Ｓｅ（セレン），Ｃｒ（クロム），Ｓｎ（スズ），Ｉ（ヨウ素），Ｖ（バナジウム），Ａｓ（ヒ素），Ｆ（フッ素），Ｓｉ（ケイ素）の全部か、少なくとも半数以上を用いる。【選択図】  図１
2004261545.tif 000002
【特許請求の範囲】
【請求項１】
装身具の基材の表面に、複数種類の人体必須微量元素を用いたコーティング層を形成したことを特徴とする人体必須微量元素入り装身具。
【請求項２】
複数種類の人体必須微量元素を密封体に封入し、該密封体を外装体の内部に収容したことを特徴とする人体必須微量元素入り装身具。
【請求項３】
前記人体必須微量元素として、Ｆｅ，Ｚｎ，Ｃｕ，Ｍｎ，Ｎｉ，Ｃｏ，Ｍｏ，Ｓｅ，Ｃｒ，Ｓｎ，Ｉ，Ｖ，Ａｓ，Ｆ，Ｓｉの少なくとも半数以上が含まれていることを特徴とする請求項１または２に記載の人体必須微量元素入り装身具。
【請求項４】
前記基材が、金属，非鉄金属，合成樹脂，木，石，紙，布地のいずれか１つまたは複数によって形成されていることを特徴とする請求項１〜３のいずれかに記載の人体必須微量元素入り装身具。
【発明の詳細な説明】
【０００１】
【発明の属する技術分野】
本発明は、着用者の健康維持や増進を目的とする装身具や、ネックレスやブレスレット，ペンダント，イヤリング、ブローチ等のアクセサリ、眼鏡，ベルト，お守り，キーホルダー等の身の回り品、名刺や定期券，テレフォンカード，クレジットカード等のカード類に、着用者の健康維持・増進機能を併せ持たせた人体必須微量元素入り装身具に関する。
【０００２】
【従来の技術】
健康増進機能を併せ持たせた代表的な装身具として、磁気ネックレスや磁気ブレスレット（バングル）がある。これらの磁気装身具は、複数個の装飾体を連結リングで一連に連結し、前記複数個の装飾体の全部または一部を磁性体として構成し、磁性体の磁力によって血行を増進させ、肩こりの解消や疲労を回復できるとしている。
【０００３】
さらに、このような磁気装身具のほか、基板の表面に酸化チタン粒子及び炭化チタン粒子をコーティングしたり、このコーティングの上に保護膜を形成してチタン効果が発揮できるようにしたチタン装身具が提案されている（例えば、特許文献１参照）。
【０００４】
【特許文献１】
特開平９−８４６１２号公報（第２頁）（第２−３頁，図１，図２）
【０００５】
【発明が解決しようとする課題】
ところで、人体にはビタミンやミネラル等の栄養素のほか、鉄分等の微量元素が必須とされているが、現代人の食生活では、これらの栄養素や微量元素をバランスよく摂ることができず、加えて、食品添加物の摂取や内外のストレス、生活リズムの崩れ等が重なり、多くの現代病を招く原因となっている。
【０００６】
人体に必須の微量元素は必須微量金属とも呼ばれ、人体に限らず動植物や微生物の生体組織にきわめて微量しか存在しないが、生命の維持には欠くことのできない元素である。
【０００７】
例えば鉄分（Ｆｅ）が欠乏すると、貧血の発症や感染抵抗力の減退を招くことは広く知られており、また近年問題となっている味覚や嗅覚障害，食欲減退等の症状は、亜鉛（Ｚｎ）の欠乏が原因といわれており、人体必須微量元素の不足が原因で発症する病気は、表１に示すごとく少なくない。
【０００８】
このような観点から前掲の先行技術を検討すると、前者の磁気装身具は、磁力作用によって、体内の血行をよくする程度のものにすぎず、逆に、血中の鉄分を磁性体で吸磁すると、鉄分だけを磁性体部分に集中させて滞らせ、円滑な血行の妨げになるのではないか、と懸念がもたれている。
【０００９】
【表１】
2004261545.tif 000003
【００１０】
一方、後者のチタン装身具では、酸化チタン粒子や炭化チタン粒子によって単に新陳代謝や筋肉弛緩・増強、疲労回復して健康を維持できるとしているのにすぎない。したがって、先行技術のいずれも、人体に必須な微量元素の欠乏を補うものではなかった。
【００１１】
本発明は、かかる実情を背景にしてなされたもので、その目的とするところは、食物からは摂取しにくい人体必須微量元素を、着用者が身につけることにより簡便に体内に吸収し、着用者の健康維持や健康の増進に役立たせることのできる人体必須微量元素入り装身具を提供することにある。
【００１２】
【課題を解決するための手段】
上述の目的にしたがって、第１発明では、装身具の基材の表面に、複数種類の人体必須微量元素を用いたコーティング層を形成したことを特徴としている。また、第２発明では、複数種類の人体必須微量元素を密封体に封入し、該密封体を外装体の内部に収容したことを特徴としている。
【００１３】
第３発明では、第１発明または第２発明の人体必須微量元素として、Ｆｅ，Ｚｎ，Ｃｕ，Ｍｎ，Ｎｉ，Ｃｏ，Ｍｏ，Ｓｅ，Ｃｒ，Ｓｎ，Ｉ，Ｖ，Ａｓ，Ｆ，Ｓｉの少なくとも半数以上を含むものとし、また第４発明では、第１発明または第２発明の基材を、金属，非鉄金属，合成樹脂，木，石，紙，布地のいずれか１つまたは複数によって形成する。
【００１４】
基材にコーティングしたり、密封体に収容された人体必須微量元素は、人体に有益なエネルギーを放射し続ける。例えば装身具を、ネックレスやブレスレット等のアクセサリとした場合には、着用者がアクセサリを直接肌身に着けることにより、オシャレを楽しみながら、人体必須微量元素からのエネルギーが体内に吸収されていき、体内に不足していた必須微量元素が補われる。
【００１５】
人体必須微量元素から放射されたエネルギーは、衣服等の布地や身につけた金属，皮革，合成樹脂材料等を透過する。したがって、人体必須微量元素から放射されるエネルギーは、装身具をベルトやお守り等の身の回り品、名刺やテレフォンカード等のカード類に形成して、これらを直接身につけたりポケット等に収容しても、アクセサリと同様に着用者の体内に吸収される。
【００１６】
【発明の実施の形態】
以下本発明を、着用者の健康増進や維持を主目的としたカードに適用した第１形態例を図１及び図２に基づいて説明する。図中、図１はカードの一部拡大断面図、図２は同じくカードの斜視図である。なお、以下の表２〜表５に示す試験結果は、外部の検査機関に依頼して得たデータである。
【００１７】
健康の維持や増進を目的としたカード（以下、健康維持カードと表記する）１は、ボール紙等の厚紙や金属板等の板状体をクレジットカード程度の長方形に切断してこれを基材２とし、該基材２の一側面に複数のコーティング層３を積層するとともに、基材２とコーティング層３の外側全体を被覆層４で覆って構成されている。
【００１８】
コーティング層３は、基材２側から順に、第１層３ａ，第２層３ｂ，第３層３ｃ，第４層３ｄ，第５層３ｅの５層構造となっており、表面層である第５層３ｅの外面には、この健康維持カード１が健康増進や維持を目的とすることを示す文字５ａや図柄５ｂが表記されている。第１層３ａ〜第５層３ｅには、Ｆｅ（鉄），Ｚｎ（亜鉛），Ｃｕ（銅），Ｍｎ（マンガン），Ｎｉ（ニッケル），Ｃｏ（コバルト），Ｍｏ（モリブデン），Ｓｅ（セレン），Ｃｒ（クロム），Ｓｎ（スズ），Ｉ（ヨウ素），Ｖ（バナジウム），Ａｓ（ヒ素），Ｆ（フッ素），Ｓｉ（ケイ素）の１５種類全部か、少なくともその半数を越える８種類以上の人体必須微量元素が用いられ、これら人体必須微量元素を基材２の一側面へ５層に溶射して、前述のコーティング層３を構成している。
【００１９】
被覆層４には、透明で且つ防水性のある合成樹脂製のラミネートフィルムを用い、このラミネートフィルムで基材２とコーティング層３の外側全体を密封して覆うことにより、内部への水分の浸入を防ぎながら、コーティング層３表面の文字５ａや図柄５ｂを読めるようにしている。
【００２０】
このように構成される健康維持カード１は、コーティング層３の第１層３ａ〜第５層３ｅに用いた人体必須微量元素から、人体に有益なエネルギーを放射し続ける。このエネルギーは、衣服や財布等の皮革製品，手帳等の紙類やカード等の合成樹脂材料を透過するため、着用者が健康維持カード１を体のいずれの部位に身につけても体内に吸収され、体内に不足していた必須微量元素が補われる。これにより、着用者の体温が上昇し、血流量が増加するとともに生体免疫機能が高められるので、着用者の健康維持や健康増進に役立つ。
【００２１】
次に、本形態例に基づいて行った試験例を具体的に説明する。本試験例では、基材２に厚紙を使用し、コーティング層３の第１層３ａ〜第５層３ｅの５つの層に前述の１５種類の人体必須微量元素を用い、また被覆層４として、基材２とコーティング層３の周囲全体を合成樹脂製のラミネートフィルムで被覆した。
【００２２】
コーティング層３の第１層３ａ〜第５層３ｅには、１５種類の人体必須微量元素を以下の通りに配合し、基本的には、基材２側に融点の低い微量元素を用い、基材２から遠ざかるにしたがって、融点の高い微量元素を用いた。また、各層の厚さは５０μｍ〜１００μｍの範囲とし、１つの層に複数種類の人体必須微量元素を用いる場合には、各人体必須微量元素を等分量ずつ配合した。
【００２３】
2004261545.tif 000004
【００２４】
この健康維持カード１を製造するにあたっては、基材２となる厚紙に、製品サイズよりも数倍〜数十倍程度の大きさのものを用い、この厚紙の上に、第１層３ａから第５層３ｅまでの粉末人体必須微量元素を順次溶射してコーティング層３を形成する。次に、表面層である第５層３ｅの表面に文字５ａや図柄５ｂを施したのち、これをカッターにてクレジットカード程度の所定の長方形に切断する。そして、所定サイズに切断された基材２とコーティング層３の外側全体を、被覆層４としてラミネートフィルムで被覆することにより、複数枚の健康維持カード１が完成する。
【００２５】
基材２側である第１，第２層３ａ，３ｂに、低融点のＺｎ（亜鉛）やＳｎ（スズ）を用いることにより、基材２である厚紙と馴染み易いので剥離しにくく、且つ錆の発生を抑制でき、さらにカッターで切断する際に、破損しにくいという効果がある。また、基材２側に融点の低い人体必須微量元素を用い、基材２から遠ざかるにしたがって、融点の高い人体必須微量元素を用いることにより、第１層３ａ〜第５層３ｅの間の剥離を防止でき、さらに健康維持カード１の全体に強度が保てるようになる。
【００２６】
なお、第３層３ｃでは４種類の人体必須微量元素を、また第４層３ｄでは、１０種類の人体必須微量元素をそれぞれ混合して用いるため、混合種類の少ない他の層よりもやや厚めに形成して必要な分量を確保するとよい。さらに、第５層３ｅには、表面化粧層としてＣｕ（銅）を用いたが、Ｃｕ（銅）の融点を考慮すると、第３層や第４層に用いてもよい。
【００２７】
このように構成される健康維持カード１を用いて、熱特性試験と血流量試験と生体免疫機能試験とを行った。いずれの試験も、被験者は４３歳の健常な男性である。
【００２８】
まず、熱特性試験では、上衣を着用した被験者が室温２５℃にて椅子に腰掛け、安静状態を２０分間保ったのち、背中部の皮膚表面温度をサーモグラムにで測定した。次に、被験者の上衣の胸ポケットに前述のカード１を装着し、椅子に腰掛けて２０分間安静状態を保ったのち、背中部の皮膚表面温度をサーモグラムにて測定した。
【００２９】
【表２】
2004261545.tif 000005
【００３０】
そして、背中部の皮膚表面温度をサーモグラフィの熱画像で表示し、表２の結果を得た。この表２によれば、健康維持カード１を着用した場合に、最低温度と最高温度で未着よりも体温が上昇し、平均温度でも０．９℃上昇しており、健康維持カード１に温熱効果があることが認められた。
【００３１】
血流量試験では、上衣を着用した被験者が椅子に腰掛けて安静状態を保ったのち、レーザドップラ血流計を用いて被験者の血流量を測定した。次に、被験者の上衣の胸ポケットに前述の健康維持カード１を装着し、レーザドップラ血流計で被験者の血流量の変化を測定した。
【００３２】
【表３】
2004261545.tif 000006
【００３３】
表３は、レーザドップラ血流計で測定したデータをコンピュータ処理して、血流速度と血流量に数値化したもので、血流速度と血流量のいずれも、健康維持カード１を使用した場合の方が未使用の場合よりも高い数値を示した。健康維持カード１の使用による変化率は、血流速度で１．０５倍（４．６７％）の増加を、また血流量で１．０１倍（１．２５％）の増加を示し、血流の改善に効果があることが確認できた。
【００３４】
生体免疫機能試験では、波動測定器としてＱＲＳ（Ｑｕａｎｔｕｍ  Ｒｅｓｏｎａｎｃｅ  Ｓｐｅｃｔｒｏｍｅｔｅｒ）を用いて、波動エネルギーの放出量である波動値を測定した。表４は、健康維持カード１を単体で測定した波動値を示し、また表５は、被験者がこの健康維持カード１を装着した場合と、装着しない場合の波動値を示している。
【００３５】
【表４】
2004261545.tif 000007
【００３６】
物質自体が持つ波動値は、一般に水道水で０、ミネラル水で２８〜３０程度であり、波動エネルギーの放出量が格段に多いといわれるトルマリン鉱石でも２０，０００台の数値であるのに対し、健康維持カード１を単体で測定した波動値は、表４から明らかなように、４７，０００〜４９，０００台と飛躍的に高い値を示すものとなった。
【００３７】
【表５】
2004261545.tif 000008
【００３８】
また表５では、このような健康維持カード１を装着した場合の方が、未装着のものよりも全ての項目で勝った結果となり、健康維持カード１の装着によって、コーティング層３の第１層３ａ〜第５層３ｅの人体必須微量元素から放出される波動エネルギーが被験者の体内に吸収されて、生体免疫機能を高めることが確認できた。
【００３９】
次に、本発明をお守りに適用した第２形態例を図３に基づいて説明する。
本形態例のお守り１０は、本発明の外装体となる巾着袋１１と、該巾着袋１１に収容される密封体１２と、該密封体１２内に収容される複数種類の人体必須微量元素１３とからなっている。
【００４０】
密封体１２には、人体必須微量元素１３を密閉するために、可撓性の合成樹脂製シート等が用いられ、また人体必須微量元素１３には、Ｆｅ（鉄），Ｚｎ（亜鉛），Ｃｕ（銅），Ｍｎ（マンガン），Ｎｉ（ニッケル），Ｃｏ（コバルト），Ｍｏ（モリブデン），Ｓｅ（セレン），Ｃｒ（クロム），Ｓｎ（スズ），Ｉ（ヨウ素），Ｖ（バナジウム），Ａｓ（ヒ素），Ｆ（フッ素），Ｓｉ（ケイ素）の１５種類全部か、少なくとも半数を越える８種類以上を粉末にしたものが用いられる。
【００４１】
複数の人体必須微量元素１３の分量と全体量はそれぞれ任意で、体温の上昇と血流量の増加，生体免疫機能の向上のいずれかを目的にするかによって適宜決定される。このように構成されるお守り１０は、例えば衣服のポケットに収容したり首から下げて身につけることにより、お守りとしての本来の役割を担うと同時に、体温の上昇や血流量の増加，生体免疫機能を向上するので、着用者の健康維持や健康を増進するのに役立つ。
【００４２】
なお、本発明の装身具は、前述の形態例で示した健康維持カードやお守りに限らず、ネックレスやブレスレット，ペンダント，イヤリング、ブローチ等のアクセサリ、眼鏡，ベルト，キーホルダー等の身の回り品、名刺や定期券，テレフォンカード，プリペイドカード，クレジットカード等のカード類に適用することが可能であり、アクセサリや身の回り品，カード類として本来の機能を果たしながら、着用者の健康維持や増進を図ることができる。
【００４３】
基材の形状は、平面的または立体的のいずれであってもよく、その材料には、金属，非鉄金属，合成樹脂，木，石，紙，布地のいずれか１つまたは複数を併用することができる。このうち、紙や布地は薄く軟質なものであっても、コーティング層を多層に結着することによって、所要の剛性力が得られる。また、合成樹脂製の基板は、人体必須微量元素との結着性が低いため、基板とコーテイング層との間にアンダーコートを介装するとよい。アンダーコートには、例えば、ステンレス鋼の粉末を主原料とする結合材を用いることにより、基板とコーテイング層との結着力が高まる。
【００４４】
コーティング層は、第１形態例で示した５層以外の層数であってもよい。また、コーティング層に用いる人体必須微量元素は、どの層にどの種類のものを用いると決められているわけではなく、基材の材質や製造方法などの条件によって適宜変更することができる。さらに、複数の人体必須微量元素を、必ずしも等分量ずつ使用する必要はなく、使用目的に応じてそれぞれの人体必須微量元素を増減しても差し支えない。
【００４５】
さらに人体必須微量元素は、平面的形状または立体的形状の基材の外面に、溶射または塗布によって結着することができる。また、キーホルダのマスコット人形など、装身具の外装体が内部に空洞を持つ立体的なものの場合には、外装体の内部に、複数種類の人体必須微量元素を封入した密封体を収容してもよく、あるいは、装身具の外装体が人体必須微量元素を密封できる構造のものであれば、密封体を外装体で兼用して、人体必須微量元素を外装体に直接封入することもできる。封入体またはこれに代わる外装体は、人体必須微量元素が外部に漏出したり、人体必須微量元素への水の浸入を防ぐ構成になっていればよく、可撓性材料または剛性材料のいずれを用いても差し支えない。
【００４６】
また、着用者が、本発明の装身具を体の部分的な健康維持や健康増進を目的に用いるとした場合に、その因果関係を医学的な立証以外で証明することは困難である場合が多い。したがって、人体必須微量元素を単数または２〜３種類程度の少種類で用いるよりは、Ｆｅ，Ｚｎ，Ｃｕ，Ｍｎ，Ｎｉ，Ｃｏ，Ｍｏ，Ｓｅ，Ｃｒ，Ｓｎ，Ｉ，Ｖ，Ａｓ，Ｆ，Ｓｉのうちの少なくとも半数以上の人体必須微量元素を用いることが、健康維持や健康増進に有効な効果を期待でき、商品的にも汎用性が高まるので好ましい。
【００４７】
【発明の効果】
以上説明したように、本発明の人体必須微量元素入り装身具によれば、コーティング層の人体必須微量元素から放射される有益なエネルギーを着用者の体内に吸収して、不足していた必須微量元素を補うので、体温の上昇と血流量の増加に加えて生体免疫機能を高め、着用者の健康維持や健康の増進を図ることができるようになる。
【図面の簡単な説明】
【図１】本発明の第１形態例を示す健康維持カードの一部拡大断面図
【図２】図１の健康維持カードの斜視図
【図３】本発明の第２形態例を示すお守りの分解斜視図
【符号の説明】
１…健康維持カード（本発明の人体必須微量元素入り装身具）、２…基材、３…コーティング層、３ａ…第１層、３ｂ…第２層、３ｃ…第３層、３ｄ…第４層、３ｅ…第５層、４…被覆層、５ａ…文字、５ｂ…図柄、１０…お守り（本発明の人体必須微量元素入り装身具）、１１…巾着袋（本発明の外装体）、１２…密封体、１３…複数種類の人体必須微量元素
【図１】
2004261545.tif 000009
【図２】
2004261545.tif 000010
【図３】
2004261545.tif 000011